(57)【要約】【課題】リード線の断線を防ぐことができる内視鏡を提供する。【解決手段】先端硬性部に形成した、各光源に対して給電ハーネスを導くハーネス穴を、各光源の陽極用、陰極用に分離した対をなす分離穴と、この対をなす分離穴を合流させる合流穴とから形成し、対をなす分離穴に挿通された一対の給電ハーネスを合流穴内において接近させた後で湾曲部に導き、湾曲部内に配置した単一の被覆チューブ内に挿通している。【選択図】  図２
2004208857.tif 000002
【特許請求の範囲】
【請求項１】
略円柱状の先端硬性部と、該先端硬性部に連なる湾曲可能な湾曲部とを有する挿入部と、
前記先端硬性部の前端部に設けられ、前記先端硬性部の前方に照明光を照射する一以上の光源と、
この光源に対して電力を供給する、上記湾曲部及び先端硬性部に挿通された給電ハーネスと、
前記先端硬性部に一端部が固定され、前記挿入部の内壁面に設けられたワイヤガイドに挿通されて前記操作部内に延びる湾曲操作ワイヤと、
を有する内視鏡において、
前記先端硬性部に形成した、各光源に対して給電ハーネスを導くハーネス穴を、各光源の陽極用、陰極用に分離した対をなす分離穴と、この対をなす分離穴を合流させる合流穴とから形成し、
上記対をなす分離穴に挿通された一対の給電ハーネスを合流穴内において接近させた後で湾曲部に導き、該湾曲部内に配置した単一の被覆チューブ内に挿通したことを特徴とする内視鏡。
【発明の詳細な説明】
【０００１】
【技術分野】
本発明は内視鏡に関し、とくに先端硬性部に光源を備えた内視鏡に関する。
【０００２】
【従来技術及びその問題点】
図１に示すように、携帯型内視鏡は、一般的に、先端硬性部６０と湾曲部５０とを備える挿入部３及び操作部１０を有している。このような内視鏡において、湾曲部５０を湾曲させるために、挿入部３の内壁面に、等角度間隔に、４つのワイヤ止め（ワイヤガイド）６３ａ、６３ｂ、６３ｃ、６３ｄが挿入部３の長手方向に沿って配置されているものがあり、それぞれのワイヤ止めには、湾曲部５０を所望の方向に湾曲させるためのワイヤ（不図示）が１本ずつ挿入されていた。
【０００３】
このような内視鏡において患部を照明する光源として複数のＬＥＤ８０を用いる場合、従来は、複数のＬＥＤ８０に電力を供給するためにそれぞれのＬＥＤ８０に対して、図４に示すように、挿入部３内で平行に離間して配置された２本のリード線１８２が接続されていた。
【０００４】
しかし、このような従来の内視鏡においては、湾曲部５０においてリード線１８２とワイヤ止め６３ａ、６３ｂ、６３ｃ、６３ｄとが隣接して配置されていたため、互いに干渉しやすく、湾曲部５０の湾曲を繰り返すことによって両者が接触して、リード線が断線することが少なくなかった。
【０００５】
【特許文献】
特開２００２−２２４０１５号公報
【０００６】
【発明の目的】
そこで本発明の目的は、リード線の断線を防ぐことができる内視鏡を提供することにある。
【０００７】
【発明の概要】
上記問題点を解決するために、本発明の内視鏡においては、略円柱状の先端硬性部と、先端硬性部に連なる湾曲可能な湾曲部とを有する挿入部と、先端硬性部の前端部に設けられ、先端硬性部の前方に照明光を照射する一以上の光源と、この光源に対して電力を供給する、上記湾曲部及び先端硬性部に挿通された給電ハーネスと、先端硬性部に一端部が固定され、挿入部の内壁面に設けられたワイヤガイドに挿通されて前記操作部内に延びる湾曲操作ワイヤと、を有し、先端硬性部に形成した、各光源に対して給電ハーネスを導くハーネス穴を、各光源の陽極用、陰極用に分離した対をなす分離穴と、この対をなす分離穴を合流させる合流穴とから形成し、対をなす分離穴に挿通された一対の給電ハーネスを合流穴内において接近させた後で湾曲部に導き、湾曲部内に配置した単一の被覆チューブ内に挿通したことを特徴としている。
【０００８】
【発明の実施形態】
以下、本発明にかかる実施形態を図面を参照しつつ詳しく説明する。  本実施形態にかかる内視鏡１は携帯型であって、図１に示すように、生体内に挿入される挿入部３と、送気、送水、吸引、湾曲を行うための操作部１０とを有するファイバースコープ２、送気送水ユニット２０、吸引ユニット３０及びバッテリーパック４０を有する。
【０００９】
患者体内に挿入される挿入部３は、その前方の患部に照明光を照射する３つのＬＥＤ（発光ダイオード）（光源）８０などが配置されている先端硬性部６０と、先端硬性部６０を所定位置に配置するために所定の角度範囲内で湾曲可能な湾曲部５０と、を有する。
【００１０】
操作部１０は、送気送水ボタン１１、吸引ボタン１２、第１アングルノブ１３、第２アングルノブ１４を備えている。これらのうち、送気送水ボタン１１の上部の穴（不図示）を塞ぐと先端硬性部６０内の送気ノズル６４から空気が噴出し、イメージファイバ６５の表面の曇りの除去や患者体内への送気が行われる。送気送水ボタン１１を押し込むと先端硬性部６０内の送水ノズル６６から水が噴出し、イメージファイバ６５の表面の洗浄が行われる。送気送水ボタン１１の操作により先端硬性部６０から噴出する水や空気は、送気送水口金２１を介して接続された送気送水ユニット２０から供給される。
【００１１】
一方、吸引ボタン１２を押し込むと、送吸引ニップル３１を介して接続された吸引ユニット３０の作用により、先端硬性部６０から吸引が行われ、イメージファイバ６５の表面に付着した水滴や粘液等の除去や、体内空気の排除が行われる。
【００１２】
挿入部３の内壁面には、等角度間隔に、４つのワイヤ止め（ワイヤガイド）６３ａ、６３ｂ、６３ｃ、６３ｄが挿入部３の長手方向に沿って配置されており、それぞれのワイヤ止めには、湾曲部５０を所望の方向に湾曲させるためのワイヤ（アングルワイヤ）（不図示）が１本ずつ挿通、支持されている。また、湾曲部５０はその長手方向において一定間隔ごとに略リング状の湾曲節輪５１を複数配置してなっており、湾曲節輪５１を単位として湾曲可能である。このような構成において、第１アングルノブ１３及び第２アングルノブ１４を操作して、左右のワイヤ止め６３ａ、６３ｂに挿通されたワイヤ及び上下のワイヤ止め６３ｃ、６３ｄに挿通されたワイヤをそれぞれ独立に牽引又は解放することによって、湾曲部５０を所望の角度、方向に湾曲させることができる。なお、湾曲部５０には可撓性導管としての可撓部４１が連続して設けられている。
【００１３】
挿入部３と操作部１０の間に配置される鉗子口４２には、生検用鉗子やブラシが挿入される。鉗子口４２に挿入された生検用鉗子やブラシは、鉗子チャネル６７内を挿通されて先端硬性部６０の開口部分から突出する。
【００１４】
図２に示すように、内周に金属網チューブ６２を配した被覆ゴム６１により形成された挿入部３内には、送気ノズル６４、イメージファイバ６５、送水ノズル６６、鉗子チャネル６７、３つのＬＥＤ８０、及び、１つのＬＥＤ８０あたり２本ずつ配置された合計６本のリード線（給電ハーネス）８２が挿通されている。それぞれのＬＥＤ８０には、リード線８２を通じて、バッテリーパック４０から駆動電力が供給されている。ＬＥＤ８０はその表面にカバーガラス８１を配して、先端硬性部６０の先端面６８と同一面上に配置されている。
【００１５】
それぞれのＬＥＤ８０のための２本のリード線８２は、先端硬性部６０において、外形が略円筒状の弾性材料に設けられた二つのハーネス穴９０のそれぞれの内部に配置されている。ハーネス穴９０は、先端面６８側には、給電ハーネス離隔部材９０ｃを介してＬＥＤの陽極用、陰極用に分離した平行に離間した対をなす穴からなる分離穴９０ａを備え、湾曲部５０側には、分離穴９０ａと滑らかに結合され、湾曲部５０に向かうほど互いに接近し、ハーネス穴９０端部においては平行に隣接するように配置された対をなす合流穴９０ｂを備えている。なお、合流穴９０ｂは先端硬性部６０内のみならず、湾曲部５０又は挿入部３内に延びていても良い。
【００１６】
ハーネス穴９０内の２本のリード線８２は、ＬＥＤ８０側では分離穴９０ａ及び給電ハーネス離隔部材９０ｃにより平行に離間して配置され、湾曲部５０側に行くほど合流穴９０ｂにより接近するように配置される。このように配置することによって、リード線８２とワイヤ止め６３ａ、６３ｂ、６３ｃ、６３ｄとが直接接触、干渉することがなくなるため、リード線８２の断線を防止することができる。なお、図２（ａ）においては説明の便宜上、ＬＥＤ８０を１個のみ表示して、送気ノズル６４、イメージファイバ６５、送水ノズル６６、鉗子チャネル６７、ワイヤ止め６３ａ、６３ｂ、６３ｃ、６３ｄは省略してある。
【００１７】
さらに、この２本のリード線８２は、湾曲部５０内においては弾性材料からなる被覆チューブ９１内で隣接配置されている。図２（ａ）及び図３に示すように、３つのＬＥＤ８０に対応して設けられる３つの被覆チューブ９１は、ワイヤ止め６３ａ、６３ｂ、６３ｃ、６３ｄを避けるように、それぞれ、ワイヤ止め６３ａと６３ｄとの間、ワイヤ止め６３ａと６３ｃとの間、及び、ワイヤ止め６３ｂと６３ｃとの間に配置されている。このように配置することにより、リード線８２とワイヤ止め６３ａ、６３ｂ、６３ｃ、６３ｄとが直接接触、干渉することがなくなるため、湾曲部５０を湾曲させてもリード線８２が断線することがない。なお、被覆チューブ９１は、ファイバースコープ２全体を通じて配置されていることが好ましいが、少なくとも湾曲部５０内において配置されていれば上述の効果を得られる。
【００１８】
また、被覆チューブ９１は弾性材料であることにより、湾曲部５０の湾曲とともに湾曲変形可能である。このため、湾曲部５０を湾曲させたにもかかわらず、その内部の被覆チューブ９１が湾曲しないことにより被覆チューブ９１が湾曲部５０の内壁を押して湾曲部５０を変形、破損させてしまうという不具合が発生することは少なくなり、湾曲部５０をスムーズに湾曲させることができる。
【００１９】
さらに、３つの被覆チューブ９１を湾曲部５０内に導入することによって、湾曲部５０内の部材の充填率を上げることができる。すなわち、湾曲部５０内において各部材がより密に配置できる。これにより、湾曲部５０を湾曲させたときは湾曲部５０内の各部材が一体となって湾曲しやすくなるため、湾曲形状が異常となることが少ない。
【００２０】
それぞれの被覆チューブ９１の内部には、互いに当接するように２本のリード線８２を収容可能であるため、湾曲部５０内においてリード線８２をコンパクトに収容できる。
【００２１】
さらに、２本のリード線８２と被覆チューブ９１が一体となるため、湾曲部５０を湾曲させてもそれぞれのリード線８２が蛇行することはなくなる。
【００２２】
つづいて、本実施形態の変形例について説明する。
本実施形態では光源としてＬＥＤを用いたが、リード線を用いて電力を供給するものであれば、ＬＥＤ以外の光源であっても適用可能である。
【００２３】
患部を照明する光源として、ＬＥＤ又はリード線を要するものを使用するものであれば携帯型以外の内視鏡にも適用が可能である。
【００２４】
また、使用するＬＥＤの個数は上記実施形態のように３個でなくてもよい。
【００２５】
本発明について上記実施形態を参照しつつ説明したが、本発明は上記実施形態に限定されるものではなく、改良の目的または本発明の思想の範囲内において改良または変更が可能である。
【００２６】
【発明の効果】
以上説明したように、本発明によると、内視鏡の光源であるＬＥＤに電力を印加するためのリード線を、ワイヤ止めを避けるように配置したため、リード線とワイヤ止めとの干渉によってリード線が断線することを防ぐことができる。
【図面の簡単な説明】
【図１】一般的な内視鏡の構成を示す図である。
【図２】（ａ）は本発明の実施形態にかかる内視鏡の先端硬性部及び湾曲部の中心軸を含み上下方向に沿って切断した縦断面図であり、（ｂ）は先端硬性部の先端面の平面図、（ｃ）は（ａ）におけるＡ−ＡをＩＩＣ方向に見た断面図である。
【図３】図２（ａ）におけるＡ−ＡをＩＩＩ方向に見た断面図である。
【図４】（ａ）は従来の内視鏡の先端硬性部及び湾曲部の中心軸を含み上下方向に沿って切断した縦断面図であり、（ｂ）は先端硬性部の先端面の平面図、（ｃ）は（ａ）におけるＢ−ＢをＩＶＣ方向に見た断面図である。
【符号の説明】
１      内視鏡
３      挿入部
５０    湾曲部
６０    先端硬性部
６３ａ  ワイヤ止め（ワイヤガイド）
６３ｂ  ワイヤ止め（ワイヤガイド）
６３ｃ  ワイヤ止め（ワイヤガイド）
６３ｄ  ワイヤ止め（ワイヤガイド）
８０    ＬＥＤ（光源）
８２    リード線（給電ハーネス）
【図１】
2004208857.tif 000003
【図２】
2004208857.tif 000004
【図３】
2004208857.tif 000005
【図４】
2004208857.tif 000006